(57)【要約】【課題】  取付け時に特殊な資材や工具等を使用せず、マジックテープと締付ベルトとで、容易に取付けできること、取外しもこれまた特殊な資材や工具等を使用せずに締付ベルトを緩め、マジックテープを外せば容易に外すことができること、そして非使用時にはコンパクトに折畳むことができ、少ないスペースに収納することができる圧力抑制室のベント管の養生装置を提供する。【解決手段】  不燃シートよりなり、展開した状態で横長長方形をなす養生シート本体１と、養生シート本体１の側端縁に設けた接合用マジックテープ８と、養生シート本体１の上縁部に縁部と直交し、ベント管の半円周分隔てて設けたずれ落ち防止ベルト２及びこれを締付けるバックル４と、養生シート本体１の上縁部に設けた２本の上部締付ベルト３及びバックル４と、養生シート本体１の下縁部に設けた２本の下部締付ベルト５及びこれを締付けるバックル６とからなる。そして、これら付属物は縫製にて取付けられる。【選択図】      図１
2005321332.tif 000002
【特許請求の範囲】
【請求項１】
不燃シートよりなり、展開した状態で横長長方形をなす養生シート本体と、養生シート本体の側端縁に設けた接合用マジックテープと、養生シート本体の上縁部に縁部と直交して設け、ベント管の半円周分の距離を隔てて設けられ、端部にマジックテープが取付けられたずれ落ち防止ベルトと、養生シート本体の上縁部に上縁部と平行に設けた２本の上部締付ベルト及びこれを締付けるバックルと、養生シート本体の下縁部に下縁部と平行に設けた２本の下部締付ベルト及びこれを締付けるバックルとからなる原子炉格納容器内における圧力抑制室のベント管養生装置。
【請求項２】
前記養生シート本体の上縁部と下縁部に設けた締付ベルトを、養生シート本体の上縁部及び下縁部に取付けた複数個のベルト通しにて保持した請求項１記載の原子炉格納容器内における圧力抑制室のベント管養生装置。
【請求項３】
前記接合用マジックテープと、前記ずれ落ち防止ベルト及びこれを締付けるバックルと、前記上下部締付ベルト及びこれを締付けるバックルと、前記ベルト通しとを、前記養生シート本体に対し、全て縫製にて取付けた請求項１記載の原子炉格納容器内における圧力抑制室のベント管養生装置。
【発明の詳細な説明】
【技術分野】
【０００１】
本発明はＢＷＲ原子力発電所の原子炉格納容器内にある圧力抑制室Ａ（図３）のベント管Ｂ（図４）の養生装置に関するものである。さらに詳しく言えば、ベント管からの異物が圧力抑制室Ａ内に落下するのを防止するためのベント管養生装置に関するものである。
【背景技術】
【０００２】
従来、ベント管の上部から異物が圧力抑制室Ａ内に落下するのを防止する装置として、難燃性の平シートでベント管の周面を包み、上部をガムテープで接着していた。平シートの下部はガムテープを短く切り、これら多くのガムテープ片でシートの下部と床を多角形状に接着していた。しかし、これでは取付時間がかかることはもとより、取付後の出来栄えも芳しくなかった。
【０００３】
（背景技術の問題点）
このように平シートを用いる方法では、難燃性シートの強度がないこと、複数個のテープ等が異物となり、これが混入する可能性があること、さらに平シートの取付に際し、テープの切れ端がベント管内に落下する恐れがあること、さらにはシートやテープが廃棄物として発生するという問題があった。
【発明の開示】
【発明が解決しようとする課題】
【０００４】
取付けに特殊な資材や工具等を使用せず、マジックテープと締付ベルトとで誰でも容易に取付けできること、取外しもこれまた特殊な資材や工具等を使用せずに締付ベルトを緩め、マジックテープを外せば容易に外すことができること、そして非使用時にはコンパクトに折畳むことができ、少ないスペースに収納することができるベント管の養生装置を提供する。
【課題を解決するための手段】
【０００５】
不燃シートよりなり、展開した状態で横長長方形をなす養生シート本体と、養生シート本体の側端縁に設けた接合用マジックテープと、養生シート本体の上縁部に縁部と直交して設け、ベント管の半円周分の距離を隔てて設けたずれ落ち防止ベルト及びこれを締付けるバックルと、養生シート本体の上縁部に縁部と平行に設けた２本の上部締付ベルト及びこれを締付けるバックルと、養生シート本体の下縁部に設けた２本の下部締付ベルト及びこれを締付けるバックルとからなる。
そして、前記養生シート本体の上縁部と下縁部に設けた締付ベルトを、養生シート本体の上縁部及び下縁部に複数個のベルト通しにて保持するようにした。
また、前記接合用マジックテープと、前記ずれ落ち防止ベルト及びこれと締付けるバックルと、前記上下部締付ベルト及びこれを締付けるバックルと、前記ベルト通しとを、養生シート本体に対し全て縫製にて取付けた。
【発明の効果】
【０００６】
不燃シート製で、すべて縫製で付属品も取付け、ベント管への取付けはマジックテープもしくはベルトとバックルの締付装置によるので、取付け取外に特殊な資材、工具等を要しない。
又マジックテープ又はベルトとバックルによる締付方式であるから取付、取外が容易にでき、ベント管径等のサイズの変化にも自在性があり、容易に対応できる利点がある。
また上部にずり落ち防止ベルトを設けたので、下方へのずり落ちを防止でき、しっかりと取付けることができる。
さらに再利用もでき、極めて経済的である。
【発明を実施するための最良の形態】
【０００７】
図に基いて説明する。図１は本発明に係るベント管養生装置の展開図、図２はこれでベント管上部を養生した状態を示し、図２・ａはベント管養生装置の側端縁合せ目側からみた斜視図を示し、図２・ｂはベント管養生装置の裏側（図１・ａの反対側）からみた斜視図である。
【０００８】
図１で、１は不燃性のシート材を材料としたベント管養生シート本体で、横長長方形をなしている。
養生シートへの付属のベルト等はすべて縫製にて取付けられる。
【０００９】
養生シート本体１の上部にはずれ落止用ベルト２が２本設けられている。このベルト２は図２の如くベント管Ｂの上部に取付けた状態では丁度ベント管上部フランジ面Ｃの直径上に位置するよう取付けられている。即ちベント管の半円周分の距離を隔てて取付けられている。３は上部締付ベルトで、本体１の上縁部に２本取付けられている。４は上部締付ベルトを締付けるバックルで、これに上部締付ベルト３を引掛けて締付ける。
【００１０】
５は下部締付ベルト、６は下部締付ベルトを締付けるバックルで、これに下部締付ベルト５を掛けて締付ける。なお７はベルト通しで、これにより上部締付ベルト、下部締付ベルトはそれぞれ本体１の上縁部又は下縁部にしっかりと保持される。養生シート本体１の側縁にはマジックテープ８が取付けられており、これで側縁部を固定する。
【００１１】
（養生装置でベント管上部を養生する方法）
（１）ベント管Ａの上部フランジ面Ｃに養生シート本体１を巻き、側端の合わせ目をマジックテープ８で接合する。
（２）ずれ落ち防止ベルト２の端部を重ねをベント管上部でマジックテープ９で接合する。
（３）上部締付ベルト３を上部バックル４に通しベルト３を締めてベルト先端をベルト通し７に入れる。
（４）もう一本の上部締付ベルト３を上部バックル４に通しベルト３を締めてベルト先端をベルト通し７に入れる。
（５）下部締付ベルト５を下部バックル６に通しベルト３を締めてベルト先端をベルト通し７に入れる。
（６）もう一本の下部締付ベルト５を下部バックル６に通しベルト３を締めてベルト先端をベルト通し７に入れる。
（７）上部、下部の各ベルト３，５の締付を確認する。ずれ落ち防止ベルト２を再度、接合調整する。
【図面の簡単な説明】
【００１２】
【図１】本発明に係る養生シートの展開図である。
【図２】（ａ）は養生シートをベント管Ｂに施した状態を示し、（ｂ）は（ａ）の裏側からみた図である。
【図３】養生シートが取付けられるベント管近傍の説明図である。
【図４】ベント管上部の斜視図である。
【符号の説明】
【００１３】
１  ベント管養生シート本体          ２  ずれ落ち防止ベルト
３  上部締付ベルト                  ４  上部バックル
５  下部締付ベルト                  ６  下部バックル
７  ベルト通し                      ８  マジックテープ
Ａ  圧力抑制室                      Ｂ  ベント管
Ｃ  フランジ面
【図１】
2005321332.tif 000003
【図２】
2005321332.tif 000004
【図３】
2005321332.tif 000005
【図４】
2005321332.tif 000006